(57)【特許請求の範囲】
【請求項１】
海水中に浸漬され、前記海水中に微細気泡を発生させるエアレーション装置であって、
空気を吐出手段により供給する空気供給配管と、
前記空気が供給されるスリットを有する散気膜を備えたエアレーションノズルとを具備すると共に、
前記スリットの開口部及び／又はその近傍に、前記スリット内への前記海水の侵入を防止する撥水処理層を有することを特徴とするエアレーション装置。
【請求項２】
請求項１において、
前記撥水処理層が、疎水性材料からなる被覆処理層であることを特徴とするエアレーション装置。
【請求項３】
請求項１において、
前記撥水処理層が、フッ素被覆処理層又はシリコーン被覆処理層又はワックス被覆処理層のいずれかであることを特徴とするエアレーション装置。
【請求項４】
請求項１において、
前記撥水処理層が、フラクタル構造処理層であることを特徴とするエアレーション装置。
【請求項５】
請求項１乃至４のいずれか一つにおいて、
散気膜がゴム製、金属製又はセラミックス製のいずれかであることを特徴とするエアレーション装置。
【請求項６】
海水中に浸漬され、前記海水中に微細気泡を発生させるエアレーション装置であって、
空気を吐出手段により供給する空気供給配管と、
前記空気が供給されるスリットを有する散気膜を備えたエアレーションノズルとを具備すると共に、
前記散気膜が、ゴム材料１００重量部に対して、疎水性材料を２５〜９５重量部添加してなり、スリットの開口部及び／又はその近傍に、前記スリット内への前記海水の侵入を防止する撥水処理層を有することを特徴とするエアレーション装置。
【請求項７】
海水中に浸漬され、前記海水中に微細気泡を発生させるエアレーション装置であって、
空気を吐出手段により供給する空気供給配管と、
前記空気が供給されるスリットを有する散気膜を備えたエアレーションノズルと、
前記空気供給配管に疎水性材料を添加して、前記スリット内への前記海水の侵入を防止する撥水処理をする疎水性材料供給手段とを具備することを特徴とするエアレーション装置。
【請求項８】
海水を吸収剤として使用する脱硫塔と、
前記脱硫塔から排出された使用済海水を流して排水する水路と、
前記水路内に設置され、前記使用済海水中に微細気泡を発生して脱炭酸を行う請求項１乃至７いずれか１項に記載のエアレーション装置とを具備することを特徴とする海水排煙脱硫装置。
【発明の詳細な説明】
【技術分野】
【０００１】
本発明は、石炭焚き、原油焚き及び重油焚き等の発電プラントに適用される排煙脱硫装置の排水処理に係り、特に、海水法を用いて脱硫する排煙脱硫装置の排水（使用済海水）をエアレーションにより脱炭酸（暴気）するエアレーション装置及びこれを備えた海水排煙脱硫装置に関する。
【背景技術】
【０００２】
従来、石炭や原油等を燃料とする発電プラントにおいて、ボイラから排出される燃焼排気ガス（以下、「ガス」と呼ぶ）は、該排ガス中に含まれている二酸化硫黄（ＳＯ2）等の硫黄酸化物（ＳＯｘ）を除去してから大気に放出される。このような脱硫処理を施す排煙脱硫装置の脱硫方式としては、石灰石石膏法、スプレードライヤー法及び海水法等が知られている。
【０００３】
このうち、海水法を採用した排煙脱硫装置（以下、「海水排煙脱硫装置」と呼ぶ）は、吸収剤として海水を使用する脱硫方式である。この方式では、たとえば略円筒のような筒形状を縦置きにした脱硫塔（吸収塔）の内部に海水及びボイラ排ガスを供給することにより、海水を吸収液として湿式ベースの気液接触を生じさせて硫黄酸化物を除去している。
上述した脱硫塔内で吸収剤として使用した脱硫後の海水（使用済海水）は、たとえば、上部が開放された長い水路（Seawater Oxidation Treatment System；ＳＯＴＳ）内を流れ排水される際、水路の底面に設置したエアレーション装置から微細気泡を流出させるエアレーションによって脱炭酸（爆気）される（特許文献１〜３）。
【先行技術文献】
【特許文献】
【０００４】
【特許文献１】特開２００６−０５５７７９号公報
【特許文献２】特開２００９−０２８５７０号公報
【特許文献３】特開２００９−０２８５７２号公報
【発明の概要】
【発明が解決しようとする課題】
【０００５】
しかしながら、エアレーション装置で用いるエアレーションノズルは、基材の周囲を覆うゴム製等の散気膜に小さなスリットが多数設けられたものである。一般的には「ディフューザノズル」と呼ばれている。このようなエアレーションノズルは、供給される空気の圧力により、スリットから略均等な大きさの微細気泡を多数流出させることができる。従来、ゴム製の散気膜の場合、スリットの長さは、１〜３ｍｍ程度である。
【０００６】
このようなエアレーションノズルを用いて、海水中でエアレーションを連続して行うと、散気膜のスリット壁面やスリット開口近傍に、海水中の硫酸カルシウム等の析出物が析出し、スリットの間隙が狭くなったり、スリットを塞いだりする結果、散気膜の圧力損失を増大させ、散気装置に空気を供給するブロワ、コンプレッサ等の吐出手段の吐出圧高が発生し、ブロワ、コンプレッサ等に負荷がかかるという、問題がある。
【０００７】
析出物の発生は、散気膜の外側に位置する海水が、スリットから散気膜の内側へ浸み込み、常時スリットを通過する空気に、長時間に亙って触れて乾燥（海水の濃縮）が促進され、析出に至っている、と推定される。
【０００８】
本発明は、前記問題に鑑み、散気膜のスリットにおいて析出物の発生を抑制・回避することができるエアレーション装置及びこれを備えた海水排煙脱硫装置を提供することを課題とする。
【課題を解決するための手段】
【０００９】
上述した課題を解決するための本発明の第１の発明は、海水中に浸漬され、前記海水中に微細気泡を発生させるエアレーション装置であって、空気を吐出手段により供給する空気供給配管と、前記空気が供給されるスリットを有する散気膜を備えたエアレーションノズルとを具備すると共に、前記スリットの開口部及び／又はその近傍に、前記スリット内への前記海水の侵入を防止する撥水処理層を有することを特徴とするエアレーション装置にある。
【００１０】
第２の発明は、第１の発明において、前記撥水処理層が、疎水性材料からなる被覆処理層であることを特徴とするエアレーション装置にある。
【００１１】
第３の発明は、第１の発明において、前記撥水処理層が、フッ素被覆処理層又はシリコーン被覆処理層又はワックス被覆処理層のいずれかであることを特徴とするエアレーション装置にある。
【００１２】
第４の発明は、第１の発明において、前記撥水処理層が、フラクタル構造処理層であることを特徴とするエアレーション装置にある。
【００１３】
第５の発明は、第１乃至４のいずれか一つの発明において、散気膜がゴム製、金属製又はセラミックス製のいずれかであることを特徴とするエアレーション装置にある。
【００１４】
第６の発明は、海水中に浸漬され、前記海水中に微細気泡を発生させるエアレーション装置であって、空気を吐出手段により供給する空気供給配管と、前記空気が供給されるスリットを有する散気膜を備えたエアレーションノズルとを具備すると共に、前記散気膜が、ゴム材料１００重量部に対して、疎水性材料を２５〜９５重量部添加してなり、スリットの開口部及び／又はその近傍に、前記スリット内への前記海水の侵入を防止する撥水処理層を有することを特徴とするエアレーション装置にある。
【００１５】
第７の発明は、海水中に浸漬され、前記海水中に微細気泡を発生させるエアレーション装置であって、空気を吐出手段により供給する空気供給配管と、前記空気が供給されるスリットを有する散気膜を備えたエアレーションノズルと、前記空気供給配管に疎水性材料を添加して、前記スリット内への海水の侵入を防止する撥水処理をする疎水性材料供給手段とを具備することを特徴とするエアレーション装置にある。
【００１６】
第８の発明は、海水を吸収剤として使用する脱硫塔と、前記脱硫塔から排出された使用済海水を流して排水する水路と、前記水路内に設置され、前記使用済海水中に微細気泡を発生して脱炭酸を行う第１乃至７いずれか一つの発明のエアレーション装置とを具備することを特徴とする海水排煙脱硫装置にある。
【発明の効果】
【００１７】
本発明によれば、エアレーション装置の散気膜のスリットにおいて析出物の発生を抑制・回避することができる。
【図面の簡単な説明】
【００１８】
【図１】図１は、本実施例に係る海水排煙脱硫装置の概略図である。
【図２−１】図２−１は、エアレーションノズルの平面図である。
【図２−２】図２−２は、エアレーションノズルの正面図である。
【図３】図３は、エアレーションノズルの内部構造概略図である。
【図４】図４は、本実施例に係るエアレーション装置の概略図である。
【図５】図５は、本実施例に係るエアレーションノズルの散気膜に形成されるスリットの開口部の概略図である。
【図６−１】図６−１は、散気膜のスリットにおける、空気（飽和度の低い湿り空気）の流出と海水の浸入、および濃縮海水の状況を示す図である。
【図６−２】図６−２は、散気膜のスリットにおける、空気の流出と海水の浸入、濃縮海水及び析出物の状況を示す図である。
【図６−３】図６−３は、散気膜のスリットにおける、空気の流出と海水の浸入、濃縮海水及び析出物（析出物が成長した場合）の状況を示す図である。
【図７】図７は、本実施例に係る他のエアレーション装置の概略図である。
【図８】図８は、フラクタル構造の模式図の一例である。
【図９】図９は、析出物をＸ線回折で分析したチャートである。
【発明を実施するための形態】
【００１９】
以下、この発明につき図面を参照しつつ詳細に説明する。なお、この実施例によりこの発明が限定されるものではない。また、下記実施例における構成要素には、当業者が容易に想定できるもの、あるいは実質的に同一のものが含まれる。
【実施例】
【００２０】
本発明による実施例に係るエアレーション装置及び海水排煙脱硫装置について、図面を参照して説明する。図１は、本実施例に係る海水排煙脱硫装置の概略図である。
図１に示すように、海水排煙脱硫装置１００は、排ガス１０１と海水１０３とを気液接触してＳＯ2を亜硫酸（Ｈ2ＳＯ3）へ脱硫反応させる排煙脱硫吸収塔１０２と、排煙脱硫吸収塔１０２の下側に設けられ、硫黄分を含んだ使用済海水１０３Ａを希釈用の海水１０３と希釈混合する希釈混合槽１０５と、希釈混合槽１０５の下流側に設けられ、希釈使用済海水１０３Ｂの水質回復処理を行う酸化槽１０６とからなるものである。
【００２１】
海水排煙脱硫装置１００では、排煙脱硫吸収塔１０２において海水供給ラインＬ1を介して供給される海水１０３の内の一部の吸収用の海水１０３を排ガス１０１と気液接触させて、排ガス１０１中のＳＯ2を海水１０３に吸収させる。そして、排煙脱硫吸収塔１０２で硫黄分を吸収した使用済海水１０３Ａは、排煙脱硫吸収塔１０２の下部に設けられている希釈混合槽１０５に供給される希釈用の海水１０３と混合させる。そして、希釈用の海水１０３と混合希釈された希釈使用済海水１０３Ｂは、希釈混合槽１０５の下流側に設けられている酸化槽１０６に送給され、酸化用空気ブロア１２１より供給された空気１２２をエアレーションノズル１２３により供給し、水質回復させた後、排水１２４として海へ放流するようにしている。
図１中、符号１０２ａは海水を上方に噴出させる液柱用の噴霧ノズル、１２０はエアレーション装置、１２２ａは気泡、Ｌ1は海水供給ライン、Ｌ2は希釈海水供給ライン、Ｌ3は脱硫海水供給ライン、Ｌ4は排ガス供給ライン、Ｌ5は空気供給ラインである。
【００２２】
このエアレーションノズル１２３の構成を図２−１、図２−２及び図３を参照して説明する。
図２−１は、エアレーションノズルの平面図、図２−２は、エアレーションノズルの正面図、図３は、エアレーションノズルの内部構造概略図である。
図２−１、図２−２に示すように、エアレーションノズル１２３は、基材の周囲を覆うゴム製の散気膜１１に小さなスリット１２が多数設けられたものであり、一般的には「ディフューザノズル」と呼ばれている。このようなエアレーションノズル１２３は、空気供給ラインＬ5から供給される空気１２２の圧力により散気膜１１が膨張すると、スリット１２が開いて略均等な大きさの微細気泡を多数流出させることができる。
【００２３】
図２−１、図２−２に示すように、エアレーションノズル１２３は、空気供給ラインＬ5から分岐した複数（本実施例では８本）の枝管（図示せず）に設けられたヘッダ１５に対して、フランジ１６を介して取り付けられている。なお、希釈使用済海水１０３Ｂ中に設置される枝管及びヘッダ１５には、耐食性を考慮して樹脂製パイプ等が使用されている。
【００２４】
エアレーションノズル１２３は、たとえば図３に示すように、希釈使用済海水１０３Ｂに対する耐食性を考慮して樹脂製とした略円筒形状の支持体２０を用い、この支持体２０の外周を覆うようにして多数のスリット１２が形成されたゴム製の散気膜１１を被せた後、左右両端部をワイヤやバンド等の締結部材２２により固定した構成とされる。
【００２５】
また、上述したスリット１２は、圧力を受けない通常の状態においては閉じている。なお、海水排煙脱硫装置１００においては、常時空気１２２を供給しているので、常にスリット１２は開放状態である。
【００２６】
ここで、支持体２０の一端２０ａは、ヘッダ１５に取り付けた状態で空気１２２の導入を可能とすると共に、その他端２０ｂは、海水１０３が導入可能に開口されている。
このため、一端２０ａ側は、ヘッダ１５及びフランジ１６を貫通する空気導入口２０ｃを介してヘッダ１５内部と連通している。そして、支持体２０の内部は、支持体２０の軸方向の途中に設けた仕切板２０ｄにより分割され、この仕切板２０ｄにより空気の流通が阻止されている。さらに、この仕切板２０ｄよりヘッダ１５側となる支持体２０の側面には、散気膜１１の内周面と支持体外周面との間に、すなわち、散気膜１１を加圧して膨張させる加圧空間１１ａへ空気１２２を流出させるための空気出口２０ｅ、２０ｆが開口している。従って、ヘッダ１５からエアレーションノズル１２３に流入する空気１２２は、図中に矢印で示すように、空気導入口２０ｃから支持体２０の内部へ流入した後、側面の空気出口２０ｅ、２０ｆから加圧空間１１ａへ流出することとなる。
なお、締結部材２２は、散気膜１１を支持体２０に固定するとともに、空気出口２０ｅ、２０ｆから流入する空気が両端部から漏出することを防止するものである。
【００２７】
このように構成されたエアレーションノズル１２３において、ヘッダ１５から空気導入口２０ｃを通って流入する空気１２２は、空気出口２０ｅ、２０ｆを通って加圧空間１１ａへ流出することにより、最初はスリット１２が閉じているため加圧空間１１ａ内に溜まって内圧を上昇させる。内圧が上昇された結果、散気膜１１は加圧空間１１ａ内の圧力上昇を受けて膨張し、散気膜１１に形成されているスリット１２が開くことによって空気１２２の微細気泡を希釈使用済海水１０３Ｂ中に流出させる。
【００２８】
図４は、本実施例に係るエアレーション装置の概略図である。図４に示すように、本実施例に係るエアレーション装置１２０は、被処理水である希釈使用済海水（図示せず）中に浸漬され、希釈使用済海水中に微細気泡を発生させるエアレーション装置であって、空気１２２を吐出手段であるブロア１２１Ａ〜１２１Ｄにより供給する空気供給ラインＬ5と、空気が供給されるスリットを有する散気膜１１を備えたエアレーションノズル１２３とを具備するものである。
また、空気供給ラインＬ5には、２基の冷却器１３１Ａ、１３１Ｂと、２基のフィルタ１３２Ａ、１３２Ｂとが各々設けられている。これにより、ブロア１２１Ａ〜１２１Ｄにより圧縮された空気は冷却され、次いで濾過されている。冷却・濾過された空気は、枝管Ｌ5A〜5H及びヘッダ１５を介して空気供給を受ける全てのエアレーションノズル１２３で供給され、微細気泡が発生する。
なお、ブロアが４基あるのは、通常は３基で運転しており、その内の１基は予備としている。また、冷却器１３１Ａ、１３１Ｂと、フィルタ１３２Ａ、１３２Ｂとが各々２基あるのは、連続して運転する必要から、通常は片方のみで運転し、他方はメンテナンス用としている。
【００２９】
以下、本実施例に係るエアレーション装置について説明する。本発明では、散気膜１１に形成するスリットの開口部及び／又はその近傍に撥水処理を施すことにより、スリットへの海水の浸入を防止し、スリット１２での硫酸カルシウム等の析出を抑制・回避するようにしたものである。
図５は、本実施例に係るエアレーションノズル１２３の散気膜１１に形成されるスリット１２の開口部の概略を示す。
【００３０】
図５に示すように、本実施例に係るスリット１２は、その開口部のスリット壁面１２ａ及びその開口部の縁１２ｂに撥水処理層１５０を形成している。
このように、開口部及びその近傍を撥水処理することにより、析出物の析出を抑制・回避することができる。
【００３１】
ところで、海水の塩分濃度は３．４％であり、９６．６％の水に３．４％の塩が溶けている。この塩は、塩化ナトリウムが７７．９％、塩化マグネシウムが９．６％、硫酸マグネシウムが６．１％、硫酸カルシウムが４．０％、塩化カリウムが２．１％、その他０．２％の構成となっている。
【００３２】
この塩のなかで、海水の濃縮（海水の乾燥）につれて、硫酸カルシウムが最初に析出する塩であり、その析出の閾値が海水の塩分濃度で約１４％である。
【００３３】
ここで、スリットの付着する析出物を分析した結果を図９に示す。図９は、析出物をＸ線回折で分析したチャートである。図９に示すように、ほとんどのピークは硫酸カルシウム由来のピークであることが判明した。
【００３４】
ここで、スリット１２に析出物が析出するメカニズムを図６−１〜図６−３を用いて説明する。
図６−１は、散気膜のスリットにおける、空気（飽和度の低い湿り空気）の流出と海水の浸入、および濃縮海水の状況を示す図である。図６−２は、散気膜のスリットにおける、空気の流出と海水の浸入、濃縮海水および析出物の状況を示す図である。図６−３は、散気膜のスリットにおける、空気の流出と海水の浸入、濃縮海水及び析出物（析出物が成長した場合）の状況を示す図である。
ここで、本発明において、スリット１２とは、散気膜１１に形成される切れ込みをいい、スリット１２の間隙は空気が排出される通路となる。
この通路を形成するスリット壁面１２ａは、海水１０３が接触しているが、空気１２２の導入によって乾燥・濃縮され、濃縮海水１０３ａとなり、その後スリット壁面に析出物１０３ｂが析出され、スリットの通路を閉塞するものとなる。
【００３５】
図６−１は、空気１２２の相対湿度（飽和度）が低いので、海水の塩分濃縮が徐々に増加し、濃縮海水１０３ａが形勢された状況を示している。但し、海水の濃縮が始まっても海水の塩分濃度が概ね１４％以下では、硫酸カルシウム等の析出はない。
【００３６】
図６−２は、濃縮海水１０３ａの一部において、局所的に海水の塩分濃度が１４％を超えた部分に析出物１０３ｂが発生している状態である。この状態では析出物１０３ｂが僅かであるので、スリット１２を空気が通過する際の圧力損失が僅かに上昇するものの、空気１２２は通過可能である。
【００３７】
これに対し、図６−３は、濃縮海水１０３ａの濃縮が進行すると、析出物１０３ｂによる閉塞（プラッキング）状態となり、圧力損失が大きくなる状態である。なお、このような状態でも空気１２２の通路は残っているものの吐出手段にはかなりの負荷がかかるものとなる。
よって、このような状態とならないように、スリット１２の開口部及びその近傍に、撥水処理層１５０を設けることにより、スリットへの海水の浸入を防止し、スリットでの析出物１０３ｂの発生を抑制・回避できるので、長期間に亙っての安定した運転が可能となる。
【００３８】
撥水処理層を形成する材料としては、種々の撥水性材料を挙げることができるが、例えばタルク、シリカ粉末等を用いた疎水性材料からなる被覆処理層、フッ素樹脂を被覆したフッ素被覆処理層、シリコーン樹脂を被覆したシリコーン被覆処理層、ワックスを被覆したワックス被覆処理層を挙げることができる。
ここで、疎水性材料の被覆の際には、直ちに、剥がれないような例えば定着剤等を用いることが好ましい。散気膜を離型する際、またはその後、形成するようにすればよい。
【００３９】
このように、化学的に撥水材料を用いて撥水処理をした結果、その表面状態が疎水性を有し、水を弾くこととなる。
よって、スリットへの海水の浸入が抑制・回避され、海水の海塩濃度が濃縮されることがなく、析出物の析出が防止される。
【００４０】
図８は、フラクタル構造の模式図である。図８に示すような、スリットの表面を物理的な無数の凹凸面を形成したフラクタル構造処理層とすることにより、撥水性を向上させるようにしてもよい。このフラクタル構造は、例えばコッホ曲線のような、大きな凹凸の中に小さな凹凸を有し、この小さな凹凸の中に更により小さな凹凸が存在するという凹凸構造が入れ子状態となったものであり、濡れ性が増大するものをいう。
【００４１】
また、スリットの形成の際において、例えばプラズマ処理によって開口部を形成することにより、開口部分に無数の凹凸面を形成するようにしてもよい。この際、不活性雰囲気で処理するのが好ましい。これは酸素官能基の発生を防止するためである。
【００４２】
ここで、散気膜としては、ゴム製のものが好適であるが、本発明ではこれに限定されず、例えばステンレス製や樹脂製のものを挙げることができる。
【００４３】
フッ素樹脂としては、例えばポリテトラフルオロエチレン（四フッ素化樹脂、略号：ＰＴＦＥ）、ポリクロロトリフルオロエチレン（三フッ素化樹脂、略号：ＰＣＴＦＥ，  ＣＴＦＥ）、ポリフッ化ビニリデン（略号：ＰＶＤＦ）、ポリフッ化ビニル（略号：ＰＶＦ）、ペルフルオロアルコキシフッ素樹脂（略号：ＰＦＡ）、四フッ化エチレン・六フッ化プロピレン共重合体（略号：ＦＥＰ）、エチレン・四フッ化エチレン共重合体（略号：ＥＴＦＥ）、エチレン・クロロトリフルオロエチレン共重合体（略号：ＥＣＴＦＥ）等を例示することができる。
この撥水処理は、スリットの形成後に、処理するようにしている。
【００４４】
また、散気膜１１のそれ自体に疎水性材料を練りこむようにしてもよい。
例えば、ゴム材料１００重量部に対して、疎水性材料を２５〜９５重量部添加して散気膜を構成し、結果としてスリット１２の開口部及び／又はその近傍に撥水処理層を有するようにしてもよい。なお、疎水性材料の添加が上記範囲外であると、撥水性の効果が発現できず、好ましくない。
この疎水性材料としては、例えばタルク、シリカ粉末等を挙げることができるが、本発明はこれに限定されるものではない。
【００４５】
また、ゴム材料としては、エチレン−プロピレン−ジエンゴム（ＥＰＤＭ）とするのが好ましい。
【００４６】
図７は、本実施例に係る他のエアレーション装置の概略図である。
図７に示すように、本実施例に係るエアレーション装置１２０Ａは、図４に示すエアレーション装置１２０において、疎水性材料１６０を添加する疎水性材料供給手段１６１を設け、疎水性材料ラインＬ6を介して、疎水性材料１６０を空気供給ラインＬ5内に供給するようにしている。
添加する疎水性材料１６０としては、例えばタルク、シリカ粉末の少なくとも一つを用いるのが好ましい。
【００４７】
この疎水性材料１６０の供給は、空気１２２を供給してエアレーションノズル１２３より微細な空気を供給している際に、圧力変動があった後、スリット１２から析出物を除去し、その後撥水処理を行うのが好ましい。
析出物の除去は、空気のパージ処理や空気の停止処理を行うことで、散気膜１１のスリット１２に変動を与えて、スリット１２に付着した析出物を除去するようにすればよい。
この撥水処理を施すことにより、その後スリット１２は撥水性を有するとともに、汚れにくくなる。
【００４８】
以上、本実施例では被処理水として海水を例にして説明したが、本発明はこれに限定されるものではなく、例えば汚染処理における汚染水にエアレーションを行うエアレーション装置において、散気孔（メンブレンスリット）での汚泥成分の析出によるプラッギングを防止でき、長期間に亙って安定して操業することができる。
【００４９】
以上、本実施例ではエアレーション装置として、チューブ型のエアレーションノズルを用いて説明したが、本発明はこれに限定されるものではなく、例えばディスク型や平板型のエアレーション装置や、セラミックス、金属（例えばステンレス製）の散気装置に適用することができる。
【産業上の利用可能性】
【００５０】
以上のように、本発明に係るエアレーション装置によれば、エアレーション装置の散気膜のスリットにおいて析出物の発生を抑制・回避することができ、例えば海水排煙脱硫装置に適用して、長期間に亙って連続して安定した操業が可能となる。
【符号の説明】
【００５１】
１１  散気膜
１２  スリット
１００  海水排煙脱硫装置
１０２  排煙脱硫吸収塔
１０３  海水
１０３Ａ  使用済海水
１０３Ｂ  希釈使用済海水
１０５    希釈混合槽
１０６  酸化槽
１２０、１２０Ａ  エアレーション装置
１２３  エアレーションノズル
１５０  撥水処理層
１６０  疎水性材料
【図１】
0005535824.tif 000002
【図２−１】
0005535824.tif 000003
【図２−２】
0005535824.tif 000004
【図３】
0005535824.tif 000005
【図４】
0005535824.tif 000006
【図５】
0005535824.tif 000007
【図６−１】
0005535824.tif 000008
【図６−２】
0005535824.tif 000009
【図６−３】
0005535824.tif 000010
【図７】
0005535824.tif 000011
【図８】
0005535824.tif 000012
【図９】
0005535824.tif 000013